(57)【特許請求の範囲】
【請求項１】
一端部に導入口を、そして他端部に排水口を有する管状部材を横方向に複数本ほぼ隣接させ、前記単一の管状部材の導入口と他の管状部材の排水口とを順次連通部で連結して一体化した流動式の貯水流路が形成されており、前記単一の管状部材の導入口と他の管状部材の排水口との連通部の位置と相対するそれぞれの管状部材の端部が、前記連通部の流水抵抗よりも大きな通路の連通部で連結されているとともに、少なくとも前記複数の一体化された管状部材の最上部付近に空気弁を設置し、最上部の管状部材の導入口を上水道配管に連通させ、さらに最下部の管状部材の排水口を給水カランに連通させることを特徴とする非常用給水装置。
【請求項２】
連通部で連結される管状部材の排水口が、その管状部材の最下端部近傍に、さらにその下方の管状部材の導入口が、その管状部材の最上端部近傍に形成されている請求項１記載の非常用給水装置。
【請求項３】
貯水流路を形成する各管状部材を連通する連通部が管状部材の外部に延びる連通管である請求項１または２に記載の非常用給水装置。
【請求項４】
上下の管状部材を連通させる流水抵抗の大きな連通部が、上方の管状部材の一端の最下端部と下方の管状部材の一端の最上端部とを繋いでいる請求項１ないし３のいずれかに記載の非常用給水装置。
【請求項５】
前記流水抵抗の大きな連通部が、管状部材の外部に延びる排水管である請求項１ないし４のいずれかに記載の非常用給水装置。
【請求項６】
前記複数の管状部材は、一方向に傾斜させて設置されることを特徴とする請求項１ないし５のいずれかに記載の非常用給水装置。
【請求項７】
前記管状部材、該管状部材に設けられた導入口および排水口、最上部に取付けられる空気弁と管状部材とが連通する接続口および管状部材同士を連通する連通部を、凹部を有する２枚の板材を互いに液密に張合わせてパネル状に形成したことを特徴とする請求項１、２、４、６のいずれかに記載の非常用給水装置。
【請求項８】
少なくとも前記管状部材と前記空気弁とが基台から上方に延設された堅固なフレームにより外力から保護されていることを特徴とする請求項１ないし７のいずれかに記載の非常用給水装置。
【発明の詳細な説明】
【０００１】
【発明の属する技術分野】
本発明は、災害時あるいは渇水時でも給水可能な非需用給水装置に関する。
【０００２】
【従来の技術】
従来、災害時あるいは渇水時における生活用水または飲料水の確保手段としては、家庭用ポリタンクに水道水を貯めたり、あるいはペットボトルに入った飲料水を購入することで行っていた。
【０００３】
【発明が解決しようとする課題】
しかしながら、上記した前者の従来技術のように、家庭用ポリタンクに水道水を貯める手段にあっては、その作業が面倒であり、保管場所にもかなりのスペースを有し、また後者のように、ペットボトルに入った飲料水を購入して貯蔵したとしても、長期間となると水質が変化するため、逐次取替えなければならなかった。
【０００４】
そこで水道水の途中に設置され、常時使用される水によってタンク内の水が循環する非常用タンクが、実開昭５３−４０６７３号等で開示されている。しかし、このシステムはタンクの容量が大きく、地中に埋設しなければならないため、設置工事が大変なものがある。また、非常時に水を汲み上げるために、ポンプ等をを利用しなけらばならず、故障率が高いばかりか、電源の確保も考えなければならなかった。
【０００５】
さらに、実公昭５１−３９２１２号には蛇口の側部に設置される循環式のタンクが開示されているが、やはり設置場所としてのスペースを取ってしまう。
【０００６】
さらに、これら従来技術に共通した問題点としては、水道使用時、常時水道水がタンク内に流れ込み、水の流動はあるものの、タンクの径が大きいため死水域が発生し易く、流動を与えられない水がタンク内に残存してしまい非常用に供給される水の水質に問題があった。
【０００７】
本発明は、上記問題点を解決するためになされたもので、極めて薄型でスペースをとらず、非常時にはこれらの薄型の貯水部から水を容易に取り出すことのできる非常用給水装置を提供することを目的としている。
【０００８】
【課題を解決するための手段】
本発明の非常用給水装置は、一端部に導入口を、そして他端部に排水口を有する管状部材を横方向に複数本ほぼ隣接させ、前記単一の管状部材の導入口と他の管状部材の排水口とを順次連通部で連結して一体化した流動式の貯水流路が形成されており、前記単一の管状部材の導入口と他の管状部材の排水口との連通部の位置と相対するそれぞれの管状部材の端部が、前記連通部の流水抵抗よりも大きな通路の連通部で連結されているとともに、少なくとも前記複数の一体化された管状部材の最上部付近に空気弁を設置し、最上部の管状部材の導入口を上水道配管に連通させ、さらに最下部の管状部材の排水口を給水カランに連通させることを特徴としている。
この特徴により、水道水の使用によって順次水が流れ、死水のない状態で、これら管状部材によって構成される貯水流路に水が常時確保されている。非常時には、下方の給水用カランを開くことにより、水圧で常時閉塞している空気弁が開くため、これら管状部材内に蓄えられた水を自然落下により大量に使用できる。特にこの給水装置はそれぞれ別々の細い管状部材の集合体であるため、強度が高く、また水の流れもスムーズとなる。
【０００９】
本発明の非常用給水装置は、連通部で連結される管状部材の排水口が、その管状部材の最下端部近傍に、さらにその下方の管状部材の導入口が、その管状部材の最上端部近傍に形成されていることが好ましい。
【００１０】
本発明の非常用給水装置は、貯水流路を形成する各管状部材を連通する連通部が管状部材の外部に延びる連通管であることが好ましい。
【００１２】
本発明の非常用給水装置は、上下の管状部材を連通させる流水抵抗の大きな連通部が、上方の管状部材の一端の最下端部と下方の管状部材の一端の最上端部とを繋いでいることが好ましい。
【００１３】
本発明の非常用給水装置は、前記流水抵抗の大きな連通部が、管状部材の外部に延びる排水管であることが好ましい。
【００１４】
本発明の非常用給水装置は、前記複数の管状部材は、一方向に傾斜させて設置することが好ましい。
【００１５】
本発明の非常用給水装置は、前記管状部材、該管状部材に設けられた導入口および排水口、最上部に取付けられる空気弁と管状部材とが連通する接続口および管状部材同士を連通する連通部を、凹部を有する２枚の板材を互いに液密に張合わせてパネル状に形成することが好ましい。
【００１６】
本発明の非常用給水装置は、少なくとも前記管状部材と前記空気弁とが基台から上方に延設された堅固なフレームにより外力から保護されていることが好ましい。
【００１８】
【発明の実施の形態】
以下、実施の形態を挙げ図面に基づいて本発明を説明する。
【００１９】
図１は本発明の一実施形態を示す非常用給水装置の全体図である。
【００２０】
図１に示す台所１は、流し台２と、この流し台２の奥面に位置する壁３とで構成され、流し台２にはシンク部４が設けられ、シンク部４の上部には給水カラン５が設けられている。
【００２１】
６は、本発明の実施形態の非常用給水装置であって、この非常用給水装置６は、横方向に設置された複数の管状部材７ａ〜７ｃと、連通部としての連通管８ａ〜８ｄと、全ての管状部材の底部とこの管状部材に隣接する下部管状部材を連通する排水管９ａ、９ｂと、空気弁１０とで構成され、この非常用給水装置６は、壁３内に水平に埋設される。
【００２２】
複数の管状部材７ａ〜７ｃは、内面が防錆処理された金属、プラスチック又はステンレス等で形成され、互いに隣接して接着により接続され一体化されている。なお、一体化とは、それぞれが接着もしくは溶接されていることも含むが、連結管等で接続されていることも一体化の意味である。
【００２３】
管状部材７ａ〜７ｃの両端は閉塞されており、その閉塞された両端には全て導入口１１と排水口１２が形成され、これら導入口１１と排水口１２には各管状部材を結ぶほぼ同じ内径の連通管８ａ〜８ｄで連結されている。
【００２４】
図１に基づいてさらに詳しく説明すると、連通管８ａは、複数の管状部材の内、最上段に位置する管状部材の上端部から水道水を供給するように連結されている。
【００２５】
そして、最上段に位置する管状部材７ａの一端下部と中段の管状部材７ｂの一端上部は太い連通管８ｂで連結され、同様に両管状部材７ａ、７ｂの他端下部と上部は細い連通管としての排水管９ａで連結されている。
【００２６】
また、中段の管状部材７ｂの一端下部と最下段の管状部材７ｃの一端上部は細い排水管９ｂで連結され、同様に管状部材７ｂ、７ｃの他端下部と上部は太い連通管としての連通管８ｃで連結されている。
【００２７】
さらに、最下段の管状部材７ｃの一端下部には連通管８ｄが連結されており、この連通管８ｄは、常時使用される給水カラン５に連結されている。
【００２８】
尚、図示はしないが、給水カラン５とは別に非常用カランを設けて、この非常用カランに管状部材７ｃの他端下部に設けた排水管を連結させるようにしても良い。
【００２９】
ここで重要な点は、連通管８ａ〜８ｄは排水管９ａ、９ｂよりも管の内径が大きくなっており、従って、連通管８ａから給水される水道水は、そのほとんどが各連通管８ｂ〜８ｃを介して隣接する各管状部材７ａ〜７ｃ内を順次左右に流動しつつ排水口１２に流下し、排水口１２に連結されている連通管８ｄを介して給水カラン５から排水される。
【００３０】
即ち、排水管９ａ、９ｂを流れる流水抵抗は、単一の管状部材の排出口と他の管状部材の導入口とを連通する連通部である連通管８ｂ、８ｃの流水抵抗よりも大きくなるように設定されているので、通常、連通管８ａから流入する水は、排水管９ａ、９ｂを介して短絡することなく管状部材７ａ〜７ｃをジグザグに流れ、給水カラン５から排出される。
【００３１】
このように、水道水の使用によって順次水が流れ、死水のない状態で、これら管状部材によって構成される貯水流路に水が常時確保されていることになる。即ち、非常時、例えば時間断水、地震等による水道管破裂時、水圧がなくなり、給水が断たれた場合等にあっても常時貯水流路に水が存在している。
【００３２】
ここで、貯水流路内の水が欲しい場合、単に給水カラン５を開くのみで管状部材内の水をほとんど全て流出させることができる。その理由は、管内に常時かかっている水圧により空気弁１０は閉塞されているが、上流からの水圧が解除されることにより、空気弁１０が大気を貯水流路内に導入すべく自動的に開放される。このため、排水管９ａ、９ｂを介して連通している各管状部材７ａ〜７ｃ内の水道水は、負圧による拘束が解け、水の重量で上から順次流下し排水口１２を介して給水カラン５から流出していく。
【００３３】
ここで、排水管９ａ、９ｂの口径は、単一の管状部材の排出口と、他の管状部材の導入口とを連通する連通部の口径より小径になっており、通常の水の使用時にはこの排水管には水がほどんど流れないが、非常時において管状部材７ａ〜７ｃ等が傾いている場合等にそれぞれの管状部材の他端に水が残留することになるが、この排水管９ａ、９ｂは他端に残留する水を下方の管状部材に流下させる働きをする。ただし、管状部材がほぼ水平に設置され動かないような場合は不要である。
【００３４】
ここで１３は、複数の管状部材７ａ〜７ｃを取付けるための基台であって、この基台１３上に堅固なフレーム１４で箱体が構成されており、その内部空間に複数の管状部材７ａ〜７ｃが図示しない取付具により取付られる。
【００３５】
すなわち、複数の管状部材７ａ〜７ｃおよびこの管状部材に連結される各連通管８ａ〜８ｃ、排水管９ａ、９ｂおよび空気弁１０は、フレーム１４で形成された箱体内に収納されて保護され、これらによって構成される非常用給水装置が、台所等の壁３内に埋め込まれる。
【００３６】
なお、水道水が再度上流から流れ、管状部材内に流入した場合は、最上部に存在する空気弁１０から前述と逆に空気が効率良く排出され、水道使用時のウォーターハンマー等の問題もなくなる。
【００３７】
図２には第２の実施形態が示され、この実施形態は、複数の管状部材１５ａ〜１５ｃを給水カラン側の出口を下に傾斜させて平行に設置したものである。
【００３８】
管状部材１５ａ〜１５ｃの両端は閉塞されており、その閉塞された両端には全て導入口１８と排水口１９が形成され、これら導入口１８と排水口１９には各管状部材を結ぶほぼ同じ内径の連通管１６ａ〜１６ｄが連結されている。
【００３９】
すなわち、複数の管状部材の内、最上段の管状部材１５ａは、その一端下部と中段の管状部材１５ｂの一端上部が太い連通管１６ｂで連結され、同様に上・中段管状部材１５ａ、１５ｂの他端下部と上部は細い排水管１７ａで連結されている。
【００４０】
また中段の管状部材１５ｂは、その一端下部と最下段管状部材１５ｃの一端上部が細い排水管１７ｂで連結され、同様に中・下段管状部材１５ｂ、１５ｃの他端下部と上部は太い連通管１６ｃで連結されている。
【００４１】
さらに、最下段管状部材１５ｃの一端下部には連通管１６ｄが連結されており、この連通管１６ｄは、常時使用される図示しない給水カランに連結されている。そして、管状部材１５の給水側端部の最上部には空気弁１０が設置されている。
【００４２】
このように第２実施形態においても第１実施形態と同様に、排水管を流れる流水抵抗が、単一の管状部材の排出口と、他の管状部材の導入口とを連通する連通部の流水抵抗よりも大きくなるように設定されているので、通常の水の使用時には排水管により水の流れが短絡することがなく、各管状部材の内部は、水道水の使用によって死水のない状態で順次水がジグザグに流れ、これら管状部材によって構成される貯水流路に水が常時確保されている。
【００４３】
また、非常時の場合には、水圧がなくなり、下方の給水カラン５を開くことにより、空気弁１０が自動的に開き、これにより、水道水は自重により順次、連通管１６ｂ、排水管１７ｂを介して流下し、最後の排水口１９に連結されている給水カラン５から全て排出することが可能となる。
【００４４】
本実施形態にあっては、管状部材１５〜１５ｃを給水カラン５に連結される排水口１９の方向に当初から傾斜させて構成しているため、壁内等にこの非常用給水装置を設置する時に、格別水平度を考慮する必要がないばかりか、非常流水後、水道から給水が開始された場合に空気が管状部材の片方上部に集中するため、確実に空気を上方へ送ることができ、空気残留を防止できる。
【００４５】
次に、図３には第３の実施形態が示され、複数の管状部材を箱体内部を隔壁により複数に仕切って構成したものである。
【００４６】
液密に形成された箱体２０は、その内部を複数の隔壁２１ａ、２１ｂで液密に仕切って複数の部屋２２ａ、２２ｂおよび２２ｃを区画している。
【００４７】
各部屋２２ａ〜２２ｃの両端には全て導入口２５、連通穴２３ｂ、２３ｃおよび排水口２６と排水穴２４ａ、２４ｂが形成され、これら導入口と排水口は箱体内部の隔壁に形成された連通穴および排水穴により連通している。
【００４８】
そして、連通管２３ａは、複数の部屋の内、最上部に位置する部屋２２ａの上端から水道水を供給するように連結されている。
【００４９】
ここで、箱体２０の最上段の部屋２２ａと中段の部屋２２ｂとは隔壁２１ａで仕切られており、この隔壁２１ａの連通管２３ａと反対の一端には連通穴２３ｂが形成されている。
【００５０】
この連通穴２３ｂは、前述した実施形態における連通管８ｂ、１６ｂに相当し、また、中段の部屋２２ｂと最下段の部屋２２ｃとを仕切る隔壁２１ｂの連通穴２３ｂの反対の他端にも前述した実施形態における連通管８ｃ、１６ｃに相当する連通穴２３ｃが形成されている。
【００５１】
さらに、隔壁２１ａ、２１ｂにはそれぞれの連通穴２３ｂ、２３ｃと反対端部に排水穴２４ａ、２４ｂが形成されている。この排水穴２４ａ、２４ｂの開口面積は、連通部としての連通穴２３ｂ、２３ｃの開口面積より小さく形成されている。
【００５２】
そして、最下段の部屋２２ｃの一端下部には連通管２３ｄが連結されており、この連通管２３ｄは、常時使用される給水カラン５に連結されている。
【００５３】
尚、箱体２０内を仕切って各部屋を区画する隔壁２１ａ、２１ｂおよび底壁２１ｃは、水平状態に設定した例について述べたが、これを第２の実施形態で述べたように傾斜状態に設定しても良い。なお、水平状態で設置する場合は、排水穴２４ａ、２４ｂは必ずしも必要なものではない。
【００５４】
このように、箱体２０の内部に形成される各部屋２２ａ、２２ｂおよび２２ｃが隔壁２１ａ、２１ｂに形成された連通穴２３ｂ、２３ｃを介して内部で連通されるので、前記実施形態のように、複数の管状部材を隣接して一体化された複数の管状部材の如く、管状部材の外部に連通部および排水管が露出することがなくなり、このための配管が省略できる。
【００５５】
次に、図４には第４の実施形態が示され、この実施形態は、前述した管状部材と、これに連通接続される各部材を、対向する２枚の例えば繊維強化プラスチックから成る板材に対称凹形に成形し、これら板材を互いに液密に張合わせてパネル状に形成したものである。
【００５６】
すなわち、これら２枚の板材３１ａ、３１ｂを互いに張合わせてなるパネル３１には、対向する１組の対称凹部で形成される排水口側を下に傾斜させて複数の管状部材３２ａ〜３２ｃを成形すると共に、最上段の管状部材３２ａに連結されるよう連通管３３ａが成形される。
【００５７】
最上段の管状部材３２ａは、その一端下部と中段の管状部材３２ｂの一端上部が連通管３３ｂで連結され、同様に上・中段管状部材３３ａ、３３ｂの他端下部と上部は排水管３４ａで連結されている。
【００５８】
また中段の管状部材３２ｂは、その一端下部と最下段管状部材３２ｃの一端上部が排水管３４ｂで連結され、同様に中・下段管状部材３２ｂ、３２ｃの他端下部と上部は連通管３３ｃで連結されている。
【００５９】
さらに、最下段管状部材３２ｃの一端下部には連通管３３ｄが連結されており、この連通管３３ｄは、常時使用される図示しない給水カランに連結されている。
【００６０】
そして、最上段の管状部材３２ａの給水側端部の上部には、空気弁を連結するための接続口３５が成形されている。
【００６１】
このように成形された２枚の繊維強化プラスチックからなる板材３１ａ、３１ｂを互いに液密に接合することにより、パネル３１が完成される。
【００６２】
このパネル３１は、図示しない薄形の箱体内に収納設置して、これを例えば台所の壁内に埋設することができる。
【００６３】
またパネル３１が、透明な繊維強化プラスチックで構成されれば、内部の水の残存状態や流れを監視することができる。
【００６４】
このようにパネル３１によって構成された各管状部材の内部は、水道水の使用によって死水のない状態で順次水が流れ、これら管状部材によって構成される貯水流路に水が常時確保される。
【００６５】
また、非常時には、水圧がなくなり、下方の給水カランを開くことにより、空気弁が開き、各管状部材３２ａ〜３２ｃ内の水道水は、連通管３３ｂ、３３ｃ、排水管３４ａ、３４ｂを介して流下し、順次最下段の管状部材３２ｃから排水口３６、連通管３３ｄ、そして給水カランへと流れ、貯留水を全て排出することが可能となる。
【００６６】
以上、本発明の実施形態を図面によって説明してきたが、具体的な構成はこれら実施形態に限られるものではなく、本発明の要旨を逸脱しない範囲における変更や追加があっても本発明に含まれる。
【００６７】
例えば、実施形態では、非常用給水装置を台所に適用した例を示したが、ユニットバス、洗面台等に埋め込んでも良く、壁に対して基台やフレームを利用して固定しても良い。
【００６８】
また、空気弁１０の位置は地震等によって破損しにくい場所であり、かつ残留する空気を全て排出することのできる最上部であれば、管状部材、箱体、パネル、または連通管のいずれに取付けてもよい。
【００６９】
さらに、連通管の内径が排水管の内径よりも大きく形成された実施例を示したが、排水管に所定の抵抗を与えるような構造にしても同じ機能を有する。
【００７０】
また、管状部材等をより多数連結して貯水量を大量に得られることは言うまでもない。
【００７１】
また、連通管、排水管に代えて管状部材と管状部材との当接面に開口を施して水の通過を許す連通部としてもよい。
【００７２】
【発明の効果】
本発明は次の効果を奏する。
【００７３】
（ａ）請求項１によれば、水道水の使用によって順次水が流れ、死水のない状態で、これら管状部材によって構成される貯水流路に水が常時確保されている。非常時には、下方の給水用カランを開くことにより、水圧で常時閉塞している空気弁が開くため、これら管状部材内に蓄えられた水を自然落下により大量に使用できる。特にこの給水装置はそれぞれ別々の細い管状部材の集合体であるため、強度が高く、また水の流れもスムーズとなる。更に、常時は水道水が管状部材の導入口から入った水が管状部材内部を流れ、その端部の排水口から次の管状部材へと流れ、水はジグザクに効率良く流れ、死水が発生しない。これは導入口と排水口とを結ぶ連通部がその反対に位置する流通路よりも流水抵抗が少ないためである。非常時においては、この流水抵抗の大きい連通部が、導入口と排水口とを結ぶ連通路と共働して水を下方に流下させるため、管状部材内の水の残留を極力防止できる。
【００７４】
（ｂ）請求項２によれば、非常時の水の自然落下時において、管状部材の排出口がその管状部材の最下端部に存在するため、水がほどんど全て落下し、水の残留を防止できる。また、非常流水後、これら管状部材に水道の給水が開始された際、内部の空気を残らず上方の空気弁から排出できることになる。
【００７６】
（ｃ）請求項４によれば、この流水抵抗の大きい連通部が請求項２と同様の働きをし、例え管状部材が傾いていたとしても、水の流下を促進するとともに、水道の給水が開始された際、内部の空気を残らず、上方の空気弁から効果的に排出できることになる。
【００７７】
（ｄ）請求項７によれば、大量生産が可能となり、製造原価を低減させることができる。
【００７８】
（ｅ）請求項８によれば、非常用給水管が外部からの力により破壊されることがなく、また、非常用給水管を壁内に埋め込む際にあたっても、空気弁周辺の空間が確保される。
【００８１】
【図面の簡単な説明】
【図１】本発明の第１の実施形態を示す非常用給水装置の全体斜視図である。
【図２】本発明の第２の実施形態を示す非常用給水装置の全体斜視図である。
【図３】本発明の第３の実施形態を示す箱体で構成された横形の非常用給水装置の全体斜視図である。
【図４】本発明の第４の実施形態を示すパネルで構成された非常用給水装置の全体斜視図である。
【符号の説明】
１            台所
２            流し台
３            壁
４            シンク部
５            給水カラン
６            非常用給水装置
７ａ〜７ｃ    管状部材
８ａ〜８ｄ    連通管（連通部）
９ａ〜９ｂ    排水管（流水抵抗の大きな連通部）
１０            空気弁
１１            導入口
１２            排水口
１３            基台
１４            フレーム
１５ａ〜１５ｃ  管状部材
１６ａ〜１６ｃ  連通管（連通部）
１７ａ、１７ｂ  排水管（流通抵抗の大きな連通部）
１８            導入口
１９            排水口
２０            箱体
２１ａ、２１ｂ  隔壁
２２ａ〜２２ｃ  部屋
２３ａ          連通管
２３ｂ、２３ｃ  連通穴（連通部）
２４ａ、２４ｂ  排水穴（流水抵抗の大きな連通部）
２５            導入口
２６            排水口
３１            パネル
３１ａ、３１ｂ  板材
３２ａ〜３２ｃ  管状部材
３３ａ〜３３ｄ  連通管（連通部）
３４ａ、３４ｂ  排水管（流水抵抗の大きな連通部）
３５            接続口
３６            排水口
【図１】
0003626981.tif 000002
【図２】
0003626981.tif 000003
【図３】
0003626981.tif 000004
【図４】
0003626981.tif 000005